(57)【要約】【課題】本発明は、本発明は上記従来の課題を解決するもので、地図原紙の背面を補強して書き込み易くすることができ、また地図原紙に折り目を形成することなくコンパクト化でき持ち運び易くかつ作業性に優れ、さらに機械的強度を高め記入し易く破れ難くすることができ地図原紙の耐久性と作成された原図の正確性を高める地図原紙補強シートを提供することを目的とする。【解決手段】本発明の地図原紙補強シートは、地図原紙の背面に配設され前記地図原紙とともに巻回される薄肉状のシート本体と、前記シート本体に形成され前記地図原紙の周辺の少なくとも１箇所を係止する係止部と、を備える。【選択図】　図１
2004093835.tif 000002
【特許請求の範囲】
【請求項１】
地図原紙の背面に配設され前記地図原紙とともに巻回される薄肉状のシート本体と、前記シート本体に形成され前記地図原紙の周辺の少なくとも１箇所を係止する係止部と、を備えていることを特徴とする地図原紙補強シート。
【請求項２】
前記係止部が、相対する辺に形成されていることを特徴とする請求項１に記載の地図原紙補強シート。
【請求項３】
前記係止部が、前記シート本体の周辺に複数かつ離散的に形成されていることを特徴とする請求項１又は２に記載の地図原紙補強シート。
【請求項４】
両側部を各々反対方向に巻回した前記シート本体を巻回可能に保持する１乃至複数の形状保持部材を備えていることを特徴とする請求項１乃至３の内いずれか１に記載の地図原紙補強シート。
【発明の詳細な説明】
【０００１】
【発明の属する技術分野】
本発明は、地図用の原図を作成するために白地図や地図等の地図原紙に現地の情報を書き込む調査作業に用いる地図原紙補強シートに関するものである。
【０００２】
【従来の技術】
従来より、地図を作成するための原図を作る際には、縮尺１／２５００〜１／５０００の地形や家屋が記された白地図や前回出版した地図等の地図原紙を持参して現地を歩いて回り、居住者名、建物名、番地、バス停、交差点名、一方通行をはじめとした交通規制情報等を地図原紙に筆記具を用いて詳細に書き込むという調査作業を行っている
従来、調査の際には、Ａ１サイズの地図原紙をＢ４サイズ程度の大きさに折畳んだ後に画板等の上に置いて書き込みを行う方法（以下、イ号方法という）や、端から記録面が外側になるように巻いて棒状にした地図原紙を携帯して記録面に書き込みを行う方法（以下、ロ号方法）が用いられていた。
【０００３】
【発明が解決しようとする課題】
しかしながら上記従来の技術においては、以下のような課題を有していた。
（１）イ号方法は、地図原紙を折畳むので折り目が形成され折り目の部分には記入し難く、また、折畳んだり開いたりを繰り返すことで折り目が破れ易く、作成された原図が正確性に欠けるという課題を有していた。
（２）イ号方法は、地図原紙とともに画板を持ち運ばなければならないので、嵩張り持ち運び難いという課題を有していた。
（３）ロ号方法は、地図原紙の端から巻いて棒状にしているので折り目は形成されないが、地図原紙は復元性に乏しいので調査後でも丸まり易く、元通りの平らにするためには逆に記録面を内側にして強く巻かなければならず、面倒であるとともにその際に皺が付き易いという課題を有していた。
（４）ロ号方法は、地図原紙を巻いているだけなので機械的強度に乏しく押し潰され易いので、調査が長期間に渡る場合等には、巻いた地図原紙を握った手の力で押し潰されて折り目や皺が形成され易いという課題を有していた。
（５）ロ号方法は、地図原紙の背面が補強されていないので、記録面に書き込み難いとともに筆記具の筆記圧で地図原紙が破れ易いという課題を有していた。
（６）イ号乃至ロ号方法は、調査中に雨等が降ってきたときには地図原紙が濡れないように別途用意した袋や雨具等で地図原図を保護しなければならず面倒であり、また袋や雨具等を用意していなかったときは大切な地図原紙が濡れてしまうという課題を有していた。
【０００４】
本発明は上記従来の課題を解決するもので、地図原紙の背面を補強して書き込み易くすることができ、また地図原紙に折り目を形成することなくコンパクト化でき持ち運び易くかつ作業性に優れ、さらに機械的強度を高め記入し易く破れ難くすることができ地図原紙の耐久性と作成された原図の正確性を高める地図原紙補強シートを提供することを目的とする。
【０００５】
【課題を解決するための手段】
上記従来の課題を解決するために本発明の地図原紙補強シートは、以下の構成を有している。
【０００６】
本発明の請求項１に記載の地図原紙補強シートは、地図原紙の背面に配設され前記地図原紙とともに巻回される薄肉状のシート本体と、前記シート本体に形成され前記地図原紙の周辺の少なくとも１箇所を係止する係止部と、を備えた構成を有している。
この構成により、以下のような作用が得られる。
（１）地図原紙の背面に配設され地図原紙とともに巻回されるシート本体を有しているので、コンパクト化されて持ち運び易い。また、シート本体が地図原紙の背面に配設されるとともに巻回されるので、地図原紙を補強して機械的強度に優れ記入し易く破れ難くすることができる。
（２）シート本体が巻回されるので、地図原紙に折り目が形成されず記入し易く破れ難くすることができる。
（３）地図原紙の周辺を係止する係止部が形成されているので、シート本体に地図原紙を係止して地図原紙をシート本体で確実に補強することができる。
（４）シート本体の両側部を地図原紙が外側になるように各々反対方向に巻回すると、巻回されたシート本体の片方を巻き戻しながら他方を巻き取って、地図原紙の所望する箇所を順次繰り出して調査作業を行うことができ作業性に優れる。
【０００７】
ここで、地図原紙としては、白地図，前回出版した地図等が用いられる。
地図原紙の大きさとしては、一辺の長さが３００〜２０００ｍｍの大きさに形成されたものが用いられ、形状としては方形状や三角状等のものが用いられる。
【０００８】
シート本体としては、大きさが地図原紙の外形より５〜１００ｍｍ程度大きめに形成されたものが用いられる。地図原紙の端まで完全に補強して地図原紙が端から破れるのを防止するためである。
シート本体の材質としては、低密度乃至中密度ポリエチレン，ポリプロピレン等のオレフィン系樹脂、軟質塩化ビニル樹脂等の軟質の合成樹脂製が好適に用いられる。柔軟で巻回し易く、また巻回された後は保形性を有するとともに、適度な復元性を有しているので、調査作業後は放置しておくだけで巻回前の元通りの平らな地図原紙が得られるからである。さらに耐水性を有しているので、調査作業時以外の持ち運び時には、シート本体が外側に記録紙が内側になるように巻回することで、記録紙をシート本体でカバーすることができ、雨で濡れたり汚れたりするのを防止することができるからである。
【０００９】
塩化ビニル樹脂等の合成樹脂には可塑剤を添加して、耐寒性や復元性を向上させるとともに地図原紙とシート本体が密着しても印字（コピーのトナー等）がシート本体に転写され難くすることが好ましい。寒冷地における冬期の調査作業においてもシート本体の柔軟性が失われ難く円滑に作業ができるとともに、印字がシート本体に転写され難いので地図原紙を傷めず、さらにシート本体が印字で汚れるのを防止できるからである。
可塑剤の配合量としては、合成樹脂１００重量部に対し、２０〜４０重量部が好適に用いられる。可塑剤の配合量が２０重量部より少なくなるにつれ耐寒性が低下し気温の低下とともにシート本体が硬化し易くなる傾向がみられ、４０重量部より多くなるにつれ原料コストが上昇するとともに引張強さ，引裂強さ，硬さ等の機械的強度が低下する傾向がみられるため、いずれも好ましくない。
可塑剤としては、フタル酸ジオクチル，フタル酸ジブチル，フタル酸ジイソノニル，アジピン酸ジオクチル，セバシン酸ジオクチル等を用いることができる。
【００１０】
シート本体の厚みとしては、０．０５〜２ｍｍの薄肉状に形成されたものが好適に用いられる。機械的強度に優れ筆記具による書き込みを容易にできるとともに巻回し易いからである。
シート本体は、透明に形成されていると好ましい。地図原紙に記載されている事項が読み取り易いからである。また、シート本体の表面は平滑に形成されているのが好ましい。埃等が付着し難いので埃等で地図原紙が傷むのを防止できるからである。
【００１１】
係止部としては、地図原紙の縁部が差込可能な袋状，帯状，舌片状等に形成されたもの、地図原紙の縁部や背面とシート本体とを接着する粘着テープ等が用いられる。なお、地図原紙の縁部が差込可能な袋状，帯状，舌片状に形成されたものが好ましい。地図原紙が接着されていないので、地図原紙をシート本体から外す際に破れるおそれがなく、さらに複数枚の地図原紙を同時に係止することができるので、シート本体をさらに補強することができるとともに複数場所の地図原紙を一度に収納して持ち運ぶことができ作業性に優れるからである。
係止部は、透明に形成されたものが好適に用いられる。地図原紙の記録面の一部が係止部で覆われたときでも、地図原紙に記載されている事項が読み取り易いからである。
【００１２】
請求項２に記載の発明は、請求項１に記載の地図原紙補強シートであって、前記係止部が、相対する辺に形成された構成を有している。
この構成により、請求項１で得られる作用に加え、以下のような作用が得られる。
（１）係止部が、相対する辺に形成されているので、地図原紙がシート本体からずれて外れるのを防止することができる。
（２）係止部が相対する辺に形成され、その辺を中心として巻回すると、シート本体の相対する辺が係止部の厚み分だけ厚くなり芯にしてシート本体を巻き易くなり作業性に優れる。
（３）係止部が相対する辺に形成されているので、地図原紙の相対する辺を係止部で拘束することができ、調査作業後は放置しておくだけでシート本体の復元性によって地図原紙の端まで巻回前の元通りの平らにすることができる。
【００１３】
ここで、係止部としては、シート本体の対向する辺に端部が固着又はシート本体と一体に形成し折り返されて袋状や１乃至複数の舌片状等に形成されたものが用いられる。
相対する辺に形成された係止部の先端から辺までの幅（以下、係止部幅という）としては、地図原紙の大きさにもよるが、４〜１２ｃｍ好ましくは６〜１０ｃｍが好適に用いられる。係止部幅が６ｃｍより細くなるにつれ地図原紙の端が係止部から外れ易くなる傾向がみられ、１０ｃｍより太くなるにつれ地図原紙の記録面の一部を覆って書き込み難くなる傾向がみられるため、いずれも好ましくない。特に、４ｃｍより細くなるか１２ｃｍより太くなると、これらの傾向が著しいため、いずれも好ましくない。
なお、係止部は、シート本体と同じ材質で形成して、シート本体の辺と高周波溶接等の溶接や溶着等で固着することができる。なお、固着部分は別部材を当着したり溶接等を複数回行ったりして補強するのが好ましい。固着部分が切れるのを防止して耐久性を高めるとともに係止部に機械的強度を付与しこれを芯にして巻き取り作業性を向上できるからである。
【００１４】
請求項３に記載の発明は、請求項１又は２に記載の地図原紙補強シートであって、前記係止部が、前記シート本体の周辺に複数かつ離散的に形成された構成を有している。
この構成により、請求項１又は２で得られる作用に加え、以下のような作用が得られる。
（１）係止部がシート本体の周辺に複数かつ離散的に形成されているので、地図原紙がシート本体から外れるのを確実に防止することができ作業性に優れる。
（２）係止部がシート本体の複数の角部に離散的に形成されると、地図原紙の角部が係止されるので角部がめくれて折れ曲がり易くなることを防止することができる。
【００１５】
ここで、係止部としては、シート本体の複数の角部に袋状，帯状等に形成されたもの、シート本体の周縁部の１乃至複数の所定部から周縁部の他の所定部に渡る帯状に形成されたもの、シート本体の周縁部の１乃至複数箇所に舌片状に形成されたもの等が用いられ、シート本体の周縁部の複数箇所に分散して形成される。
【００１６】
本発明の請求項４に記載の発明は、請求項１乃至３の内いずれか１に記載の地図原紙補強シートであって、両側部を各々反対方向に巻回した前記シート本体を巻回可能に保持する１乃至複数の形状保持部材を備えた構成を有している。
この構成により、請求項１乃至３の内いずれか１で得られる作用に加え、以下のような作用が得られる。
（１）巻回されたシート本体を巻回可能に保持する形状保持部材を備えているので、巻回されたシート本体が巻き戻ったりずれたりすることなく、安定した状態で地図原紙への記入等ができ作業性に優れる。また、巻回可能に保持されるので、巻回されたシート本体の片方を巻き戻しながら他方を巻き取って、地図原紙の所望する箇所を順次繰り出して調査作業を行うことができ作業性に優れる。
【００１７】
ここで、形状保持部材としては、ゴム製，合成樹脂製，紙製等で形成された線状体や帯状体、金属製，合成樹脂製等で形成されたクリップ等が用いられる。線状体や帯状体は巻回されたシート本体の全体に巻きつけて形状を保持し、クリップは巻回されたシート本体の周縁部を挟装して形状を保持することができる。特に、弾性を有するゴム製で形成された輪ゴム等の線状体や、ゴム製や合成樹脂製で形成された帯状体を巻回されたシート本体の周囲に巻き付けて面ファスナー等で係止固定したもの等が好適に用いられる。脱着が容易であるとともに適度な弾力で締め付けてシート本体を巻回可能にするとともに形状を安定して保持することができるからである。
【００１８】
【発明の実施の形態】
以下、本発明の一実施の形態を、図面を参照しながら説明する。
（実施の形態１）
図１は実施の形態１における地図原紙補強シートに地図原紙が装着された状態を示す斜視図であり、図２は地図原紙補強シートの使用状態を示す斜視図である。
図中、１は実施の形態１における地図原紙補強シート、２は軟質塩化ビニル樹脂製等の軟質の合成樹脂製で表面が平滑な縦約６５０ｍｍ×横約９００ｍｍの略方形状に形成された透明なシート本体、３，３´は相対する辺でありシート本体２が巻回される中心となる巻回辺部、４，４´は相対する辺であり巻回辺部３，３´に隣接して形成された隣接辺部、５，５´は相対する巻回辺部３，３´から隣接辺部４，４´に渡って各々略方形状の袋状に形成された係止部、６は記録面を表側にして背面にシート本体２が位置するように係止部５，５´に一辺及び相対する他辺の各々が差し込まれて係止された縦約６００ｍｍ×横約８５０ｍｍの略方形状の白地図等の地図原紙、Ｗは隣接辺部４，４´上の係止部５，５´の端から巻回辺部３，３´までの幅（係止部幅）である。シート本体２の縦方向の長さ（隣接辺部４，４´間の長さ）、横方向の長さ（巻回辺部３，３´間の長さ）は、地図原紙６の縦若しくは横の長さより長く形成されている。また、本実施の形態においては、係止部幅Ｗは４〜１２ｃｍに形成されている。
【００１９】
以上のように形成された実施の形態１における地図原紙補強シートを用いた地図用の原図の作成方法について、図１乃至図３を参照しながら以下説明する。
図２は地図原紙を装着した地図原紙補強シートの両側部を各々反対方向に巻回した状態を示す斜視図であり、図３は巻回した地図原紙補強シートに形状保持部材を装着した状態を示す斜視図である。
図３において、７は輪ゴム等の線状体で形成され巻回されたシート本体に巻きつけられた形状保持部材である。
初めに、地図原紙６の背面にシート本体２が位置するように地図原紙６を配置した後、地図原紙補強シート１の係止部５に地図原紙６の一辺を差し込む。次いで、地図原紙６の対向する他辺を係止部５´に差し込んで、地図原紙６を地図原紙補強シート１に装着する（地図原紙装着工程）。
次いで、地図原紙６の一辺が係止された係止部５側の巻回辺部３を中心として、地図原紙６が外側になるようにシート本体２とともに地図原紙６をシート本体２の幅方向の略半分まで一方向に巻回する。このときに、巻回されたシート本体２の周縁部の隣接辺部４若しくは隣接辺部４´にクリップ等を挟装して巻き戻らないように形状を保持することができる。同様にして、地図原紙６の他辺が係止された係止部５´側の巻回辺部３´を中心として、地図原紙６が外側になるようにシート本体２とともに地図原紙６をシート本体２の幅方向の略半分まで反対方向に巻回する（巻回工程）。なお、地図原紙６の一方の巻回後に隣接辺部４若しくは隣接辺部４´にクリップ等を挟装しないで、他方を巻回することもできる。装着したクリップ等は、調査作業時には取り外すことができる。
次いで、両側部を各々反対方向に巻回したシート本体２の外周に輪ゴム等の線状体で形成された形状保持部材７を巻きつけて、シート本体２が巻き戻らないようにして巻回されたシート本体２の形状を保持する（形状保持部材装着工程）。
次いで、調査場所に応じて、巻回されたシート本体２の片方を巻き戻しながら他方を巻き取り、所望する記録面を出して筆記具を用いて地図原紙６に書き込んで調査作業を行い、地図用の原図が作成される（書き込み工程）。
【００２０】
以上のように実施の形態１における地図原紙補強シートは構成されているので、以下のような作用が得られる。
（１）地図原紙の背面に配設されシート本体の相対する巻回辺部の各々を中心として地図原紙とともに両側部が各々反対方向に巻回されるシート本体を有しているので、コンパクト化されて持ち運び易い。また、シート本体が地図原紙の背面に配設されるとともに巻回されるので、地図原紙を補強して機械的強度に優れ記入し易く破れ難くすることができる。さらに、シート本体の両側部を地図原紙が外側になるように各々反対方向に巻回すると、巻回されたシート本体の片方を巻き戻しながら他方を巻き取って、地図原紙の所望する箇所を順次繰り出して調査作業を行うことができ作業性に優れる。
（２）シート本体が巻回されるので、地図原紙に折り目が形成されず記入し易く破れ難くすることができる。
（３）地図原紙の両端を係止する係止部が形成されているので、シート本体に地図原紙を係止して地図原紙をシート本体で確実に補強することができる。
（４）係止部が、シート本体が巻回される中心の相対する巻回辺部から巻回辺部に隣接する隣接辺部に渡る袋状に形成されているので、地図原紙がシート本体からずれて外れるのを防止することができる。
（５）係止部が巻回辺部から隣接辺部に渡って形成されているので、巻回辺部のシート本体が係止部の厚み分だけ厚くなり、係止部を芯にしてシート本体を巻き易くなり作業性に優れる。
（６）係止部が相対する巻回辺部に形成されているとともにシート本体が軟質塩化ビニル樹脂等の軟質の合成樹脂製で形成されているので、地図原紙の相対する辺の全体が係止部で拘束され、調査作業後は放置しておくだけでシート本体の復元性によって地図原紙の角部まで巻回前の元通りの平らにすることができる。
（７）シート本体が耐水性を有する合成樹脂製で形成されているとともに地図原紙よりも大きめに形成されているので、現地への移動時や雨天時は、シート本体の巻回辺部を中心に地図原図を内側（シート本体を外側）にして巻回して、シート本体で地図原紙を濡れないように保護することができる。
（８）両側部を各々反対方向に巻回されたシート本体を左右方向に巻回可能に保持する輪ゴム等の形状保持部材を備えているので、巻回されたシート本体が巻き戻ったりずれたりすることなく、安定した状態で地図原紙への記入等ができ作業性に優れる。
（９）係止部幅Ｗが、４〜１２ｃｍに形成されているので地図原紙の端が係止部から外れ難く、かつ、地図原紙の記録面の端部も覆われ難く書き込み易く作業性に優れる。
（１０）シート本体が地図原紙の背面に配設されているので、地図原紙への記入完了後に逆巻き、即ち地図原紙が内側になるように巻回することによって、持ち運び時に地図原紙を保護することができる。
【００２１】
また、実施の形態１における地図原紙補強シートを用いた地図用の原図の作成方法によれば、以下のような作用が得られる。
（１）地図原紙装着工程を備えているので、地図原紙を係止部で係止して、地図原紙がシート本体からずれて外れるのを確実に防止することができる。
（２）地図原紙が外側になるようにシート本体とともに地図原紙を巻回する巻回工程を備えているので、コンパクト化されて持ち運び易く搬送性に優れる。また、シート本体が地図原紙の背面に配設されるとともに巻回されているので、地図原紙を補強して機械的強度を高めて記入し易く地図原紙を破れ難くすることができる。
（３）巻回されたシート本体の片方を巻き戻しながら他方を巻き取り、所望する記録面を出して筆記具を用いて地図原紙に書き込んで調査作業を行う書き込み工程を備えているので、地図原紙に折り目が形成されず地図原紙を傷めることなく調査作業を行うことができる。また、地図原紙が背面に配設されたシート本体で常に補強されているので、握った手の力でも地図原紙が押し潰され難く折り目や皺が形成され難く地図原紙の耐久性を高めることができる。さらに、巻回されたシート本体の片方を巻き戻しながら他方を巻き取るという簡単な作業で、地図原紙の所望する箇所を順次繰り出して調査作業を行うことができ作業性に著しく優れる。
【００２２】
なお、本実施の形態においては、巻回されたシート本体２の外周に輪ゴム等の形状保持部材７を巻きつける形状保持部材装着工程を有する場合について説明したが、形状保持部材７を用いず、巻回されたシート本体２の各々を両手で保持して調査作業を行う場合もある。
【００２３】
（実施の形態２）
図４は実施の形態２における地図原紙補強シートに地図原紙が装着された状態を示す斜視図である。
図４において、１ａは実施の形態２における地図原紙補強シート、５ａ，５ａ´は相対する隣接辺部４，４´に端部が固設されて横長の舌片状に形成された係止部、Ｗ´は係止部５ａ，５ａ´の端から隣接辺部４，４´までの幅（係止部幅）である。本実施の形態においては、係止部幅Ｗ´は、実施の形態１の係止部幅Ｗと同様の４〜１２ｃｍに形成されている。なお、実施の形態１と同様のものは、同じ符号を付して説明を省略する。
実施の形態２における地図原紙補強シートは、係止部が相対する辺に舌片状に形成されているので、地図原紙６の周縁部を容易に係止部５ａ，５ａ´に差し込むことができるという作用を有する。また、係止部幅Ｗ´が、４〜１２ｃｍに形成されているので地図原紙が係止部から外れ難く、かつ、地図原紙の記録面も覆われ難く書き込み易く作業性に優れるという作用を有する。
【００２４】
（実施の形態３）
図５は実施の形態３における地図原紙補強シートに地図原紙が装着された状態を示す斜視図である。
図５において、１ｂは実施の形態３における地図原紙補強シート、５ｂはシート本体２の周辺の四隅近傍の巻回辺部３，３´から隣接辺部４，４´に渡って複数かつ離散的に形成された帯状の係止部である。なお、実施の形態１と同様のものは、同じ符号を付して説明を省略する。
実施の形態３における地図原紙補強シートは、係止部が帯状に形成されているので、係止部に埃や水分等が溜り難く掃除を容易に行うことができるという作用を有する。また、係止部がシート本体の周辺の四隅近傍に複数かつ離散的に形成されているので、地図原紙の角部を係止できるとともに装着を容易に行うことができるという作用を有する。
なお、本実施の形態においては係止部５ｂがシート本体２の四隅全てに形成された場合について説明したが、対角位置の少なくとも２つの隅部に形成する場合もある。この場合も同様の作用が得られる。
【００２５】
（実施の形態４）
図６は実施の形態４における地図原紙補強シートに地図原紙が装着された状態を示す斜視図である。
図６において、１ｃは実施の形態４における地図原紙補強シート、５ｃはシート本体２の巻回辺部３付近の相対する隣接辺部４，４´に渡って形成された帯状の係止部、５ｃ´は巻回辺部３´から隣接辺部４，４´に渡って略方形状の袋状に形成された係止部、７ａは係止部５ｃ´に複数形成された略円形状や方形状等の孔部である。なお、実施の形態１と同様のものは、同じ符号を付して説明を省略する。
実施の形態４における地図原紙補強シートは、係止部５ｃ，５ｃ´がシート本体２の周辺に複数かつ離散的に形成され、かつ、一方の係止部５ｃが帯状に形成されているので、シート本体２の幅方向よりも長い地図原紙も装着することができ汎用性に優れるという作用を有する。また、複数の孔部７ａが係止部５ｃ´に形成されているので、地図原紙６が係止部５ｃ´に密着するのを防止して印字（コピーのトナー等）が係止部５ｃ´に転写されるのを防止することができる。なお、孔部７ａを形成する代わりに係止部５ｃ´をメッシュ状に形成してもよい。この場合も同様の作用が得られる。
【００２６】
（実施の形態５）
図７（ａ）は実施の形態５における地図原紙補強シートに地図原紙が装着された状態を示す斜視図であり、図７（ｂ）はその地図原紙補強シートを巻回した状態を示す斜視図である。
図７（ａ），図７（ｂ）において、１ｄは実施の形態５における地図原紙補強シート、２ａは塩化ビニル樹脂製等の合成樹脂製で形成された三角形状のシート本体、５ｄ，５ｄ´はシート本体２ａ周辺の角部に複数かつ離散的に形成された袋状の係止部、６ａはシート本体２ａよりも少し小さめの三角形状に形成された地図原紙である。
使用する際は、係止部５ｄ，５ｄ´に地図原紙６ａの角部を差し込んだ後、図７（ｂ）に示すように、係止部５ｄ，５ｄ´が形成されたシート本体２ａの角部を各々中心として地図原紙６ａが外側になるように巻回する。
実施の形態５における地図原紙補強シートは、シート本体が三角形状に形成されているので、三角形状の地図原紙も使用することができ汎用性に優れるという作用を有する。また、係止部がシート本体の周辺に複数かつ離散的に形成されているので、地図原紙の装着が容易で角部を確実に係止できるという作用を有する。
なお、本実施の形態においては、係止部５ｄ，５ｄ´が袋状に形成された場合について説明したが、帯状に形成される場合もある。
【００２７】
（実施の形態６）
図８は実施の形態６における地図原紙補強シートに地図原紙が装着された状態を示す斜視図である。
図８において、１ｅは実施の形態６における地図原紙補強シート、８は相対する隣接辺部４，４´の略中央部に端部が固設された帯状の係止部である。なお、実施の形態１と同様のものは、同じ符号を付して説明を省略する。
実施の形態６における地図原紙補強シートは、シート本体２の周辺に複数かつ離散的に形成された係止部５，５´，８を有しているので、実施の形態１に記載の作用に加え、シート本体を広げたとき等に地図原紙が脱落するのを防止することができ作業性に優れるという作用を有する。
なお、係止部８の幅はできるだけ狭く形成することが望ましい。係止部８が地図原紙６の記録面を横断しているので、係止部の幅が広い場合は記入する際に邪魔になるからである。
また、係止部８はシート本体２と面ファスナー等で着脱自在に形成することもできる。これにより、地図原紙６の装着及び脱着を容易にすることができる。
【００２８】
（実施の形態７）
図９は実施の形態７における地図原紙補強シートに地図原紙が装着された状態を示す斜視図である。
図９において、１ｆは実施の形態７における地図原紙補強シート、５ｆは巻回辺部３´の角部に三角状の袋状に形成された係止部、８ａは巻回辺部３，３´の略中央部に端部が固設された帯状の係止部である。なお、実施の形態１と同様のものは、同じ符号を付して説明を省略する。
実施の形態７における地図原紙補強シートは、巻回辺部３，３´と略直交して形成された帯状の係止部８ａを有し、係止部５ｆ，５ｆ，８ａがシート本体２の周辺に複数かつ離散的に形成されているので、地図原紙が脱落するのを確実に防止することができ作業性に優れるという作用を有する。
【００２９】
（実施の形態８）
図１０は実施の形態８における地図原紙補強シートに地図原紙が装着された状態を示す斜視図である。
図１０において、１ｇは実施の形態８における地図原紙補強シート、５ｇはシート本体２の四隅の各々に三角状の袋状に形成された係止部、８ｂは隣接辺部４の略中央に端部が固設された舌片状の係止部、８ｂ´は隣接辺部４´に端部が固設された舌片状の複数の係止部である。なお、実施の形態１と同様のものは、同じ符号を付して説明を省略する。
実施の形態８における地図原紙補強シートは、舌片状の係止部８ｂ，８ｂ´，８ｂ´がシート本体２の周辺の隣接辺部４，４´に複数かつ離散的に形成されているので、地図原紙の記録面を遮ることがなく記入する際に邪魔にならず作業性に優れるという作用を有する。
【００３０】
（実施の形態９）
図１１（ａ）は実施の形態９における地図原紙補強シートに地図原紙が装着された状態を示す平面図であり、図１１（ｂ）は図１１（ａ）のＡ−Ａ線における断面図である。
図１１において、１ｈは実施の形態９における地図原紙補強シート、５ｈはシート本体２の相対する巻回辺部３，３´に形成された袋状の係止部、５ｈ´は係止部５ｈが形成されたシート本体２の裏面の相対する巻回辺部３，３´に形成された袋状の係止部である。なお、実施の形態１と同様のものは、同じ符号を付して説明を省略する。
実施の形態９における地図原紙補強シートは、係止部がシート本体の表面及び裏面の相対する辺に形成されているので、シート本体の両面に複数の地図原紙を装着して調査作業を行うことができ作業性に優れるという作用を有する。
【００３１】
（実施の形態１０）
図１２（ａ）は実施の形態１０における地図原紙補強シートに地図原紙が装着された状態を示す平面図であり、図１２（ｂ）は図１２（ａ）のＢ−Ｂ線における断面図である。
図１２において、１ｉは実施の形態１０における地図原紙補強シート、２ｂは地図原紙６の幅２つ分の横長に形成されたシート本体、５ｉはシート本体２ｂの相対する巻回辺部３，３´に形成された袋状の係止部、５ｉ´はシート本体２ｂの幅方向の央部に形成された袋状の係止部である。
実施の形態１２における地図原紙補強シートは、係止部がシート本体の片面の相対する辺と央部とに形成されているので、シート本体の片面に複数の地図原紙を装着して調査作業を行うことができ作業性に優れるという作用を有する。
【００３２】
【発明の効果】
以上のように、本発明の地図原紙補強シートによれば、以下のような有利な効果が得られる。
請求項１に記載の発明によれば、
（１）地図原紙の背面に配設され地図原紙とともに巻回されるシート本体を有しているので、コンパクト化されて持ち運び易い。また、シート本体が地図原紙の背面に配設されるとともに巻回されるので、地図原紙を補強して機械的強度に優れ記入し易く破れ難くすることができる地図原紙補強シートを提供することができる。
（２）シート本体が巻回されるので、地図原紙に折り目が形成されず記入し易く破れ難くすることができる地図原紙補強シートを提供することができる。
（３）地図原紙の周辺を係止する係止部が形成されているので、シート本体に地図原紙を係止して地図原紙をシート本体で確実に補強することができる地図原紙補強シートを提供することができる。
（４）シート本体の両側部を地図原紙が外側になるように各々反対方向に巻回すると、巻回されたシート本体の片方を巻き戻しながら他方を巻き取って、地図原紙の所望する箇所を順次繰り出して調査作業を行うことができ作業性に優れた地図原紙補強シートを提供することができる。
【００３３】
請求項２に記載の発明によれば、請求項１の効果に加え、
（１）係止部が、相対する辺に形成されているので、地図原紙がシート本体からずれて外れるのを防止することができる地図原紙補強シートを提供することができる。
（２）係止部が相対する辺に形成され、その辺を中心として巻回すると、シート本体の相対する辺が係止部の厚み分だけ厚くなり芯にしてシート本体を巻き易くなり作業性に優れた地図原紙補強シートを提供することができる。
（３）係止部が相対する辺に形成されているので、地図原紙の相対する辺を係止部で拘束することができ、調査作業後は放置しておくだけでシート本体の復元性によって地図原紙の端まで巻回前の元通りの平らにすることができる地図原紙補強シートを提供することができる。
【００３４】
請求項３に記載の発明によれば、請求項１又は２の効果に加え、
（１）係止部がシート本体の周辺に複数かつ離散的に形成されているので、地図原紙がシート本体から外れるのを確実に防止することができ作業性に優れた地図原紙補強シートを提供することができる。
（２）係止部がシート本体の複数の角部に離散的に形成されると、地図原紙の角部が係止されるので角部がめくれて折れ曲がり易くなることを防止することができる地図原紙補強シートを提供することができる。
【００３５】
請求項４に記載の発明によれば、請求項１乃至３の内いずれか１の効果に加え、
（１）巻回されたシート本体を巻回可能に保持する形状保持部材を備えているので、巻回されたシート本体が巻き戻ったりずれたりすることなく、安定した状態で地図原紙への記入等ができ作業性に優れた地図原紙補強シートを提供することができる。また、巻回可能に保持されるので、巻回されたシート本体の片方を巻き戻しながら他方を巻き取って、地図原紙の所望する箇所を順次繰り出して調査作業を行うことができ作業性に優れた地図原紙補強シートを提供することができる。
【図面の簡単な説明】
【図１】実施の形態１における地図原紙補強シートに地図原紙が装着された状態を示す斜視図
【図２】地図原紙補強シートの使用状態を示す斜視図
【図３】巻回した地図原紙補強シートに形状保持部材を装着した状態を示す斜視図
【図４】実施の形態２における地図原紙補強シートに地図原紙が装着された状態を示す斜視図
【図５】実施の形態３における地図原紙補強シートに地図原紙が装着された状態を示す斜視図
【図６】実施の形態４における地図原紙補強シートに地図原紙が装着された状態を示す斜視図
【図７】（ａ）実施の形態５における地図原紙補強シートに地図原紙が装着された状態を示す斜視図
（ｂ）実施の形態５における地図原紙補強シートを巻回した状態を示す斜視図
【図８】実施の形態６における地図原紙補強シートに地図原紙が装着された状態を示す斜視図
【図９】実施の形態７における地図原紙補強シートに地図原紙が装着された状態を示す斜視図
【図１０】実施の形態８における地図原紙補強シートに地図原紙が装着された状態を示す斜視図
【図１１】（ａ）実施の形態９における地図原紙補強シートに地図原紙が装着された状態を示す平面図
（ｂ）図１１（ａ）のＡ−Ａ線における断面図
【図１２】（ａ）実施の形態１０における地図原紙補強シートに地図原紙が装着された状態を示す平面図
（ｂ）図１２（ａ）のＡ−Ａ線における断面図
【符号の説明】
１，１ａ，１ｂ，１ｃ，１ｄ，１ｅ，１ｆ，１ｇ，１ｈ，１ｉ　地図原紙補強シート
２，２ａ，２ｂ　シート本体
３，３´　巻回辺部
４，４´　隣接辺部
５，５´，５ａ，５´，５ｂ，５ｃ，５ｃ´，５ｄ，５ｄ´，５ｆ，５ｇ，５ｈ，５ｈ´，５ｉ，５ｉ´　係止部
６，６´，６ａ　地図原紙
７　形状保持部材
７ａ　孔部
８，８ａ，８ｂ，８ｂ´　係止部
【図１】
2004093835.tif 000003
【図２】
2004093835.tif 000004
【図３】
2004093835.tif 000005
【図４】
2004093835.tif 000006
【図５】
2004093835.tif 000007
【図６】
2004093835.tif 000008
【図７】
2004093835.tif 000009
【図８】
2004093835.tif 000010
【図９】
2004093835.tif 000011
【図１０】
2004093835.tif 000012
【図１１】
2004093835.tif 000013
【図１２】
2004093835.tif 000014